Podtech/llm-jp-corpus-v4-ja_patent huggingface dataset:
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
物品から取得された情報に基づいてゲームを実行するゲーム装置であって、
物品から物品情報を取得する第１の取得手段と、
前記第１の取得手段により前記物品情報が取得された物品について、該物品に関連して生成された物品を示す物品生成情報を取得する第２の取得手段と、
前記ゲームを実行する実行手段と、
前記ゲームにおいて設定されたゲーム内要素に係る物品を生成する生成手段と、
前記実行手段と前記生成手段とを制御する制御手段と、
を備え、
前記制御手段は、前記第２の取得手段により取得された前記物品生成情報に基づいて、該当の前記物品情報に対応するゲーム内要素に係る物品の生成を前記生成手段に行わせるか否かを制御するゲーム装置。
【請求項２】
前記物品生成情報は、前記物品情報が取得された物品に関連して生成された物品の生成状況を示しており、
前記制御手段は、前記物品生成情報により示される物品の生成状況が、新たな物品の生成を禁止するものとして定められた状況である場合に、該当の前記物品情報に対応するゲーム内要素に係る物品の生成を前記生成手段に行わせないよう制御する請求項１に記載のゲーム装置。
【請求項３】
前記物品生成情報は、前記物品情報が取得された物品に関連して生成された物品の数を示しており、
前記制御手段は、前記物品生成情報により示される、関連して生成された物品の数が、新たな物品の生成を禁止するものとして定められた数に至っている場合に、該当の前記物品情報に対応するゲーム内要素に係る物品の生成を前記生成手段に行わせないよう制御する請求項１または２に記載のゲーム装置。
【請求項４】
前記新たな物品の生成を禁止するものとして定められた数は、ゲーム内要素に応じて異なる請求項３に記載のゲーム装置。
【請求項５】
前記物品生成情報は、前記物品情報が取得された物品に関連して最初に物品が生成されてからの経過時間を示しており、
前記制御手段は、前記物品生成情報により示される、関連する物品が最初に生成されてからの経過時間が、新たな物品の生成を禁止するものとして定められた時間に至っている場合に、該当の前記物品情報に対応するゲーム内要素に係る物品の生成を前記生成手段に行わせないよう制御する請求項１または２に記載のゲーム装置。
【請求項６】
前記物品情報が取得された物品に関連して生成された物品とは、１つの該物品を基礎として生成された物品、及び、１つの該物品を生成するまでに生成された基礎の物品の少なくともいずれかを含む請求項１乃至５のいずれか１項に記載のゲーム装置。
【請求項７】
前記物品生成情報は、前記物品情報に含まれる請求項１乃至６のいずれか１項に記載のゲーム装置。
【請求項８】
前記第２の取得手段は、前記物品情報が取得された物品についての前記物品生成情報を、前記ゲーム装置と通信可能に構成された外部装置から取得する請求項１乃至６のいずれか１項に記載のゲーム装置。
【請求項９】
前記生成手段により物品が生成されるゲーム内要素を選択する選択手段であって、選択可能なゲーム内要素が前記制御手段により決定される選択手段をさらに有し、
前記制御手段は、前記第２の取得手段により取得された前記物品生成情報に基づいて該当の物品情報に対応するゲーム内要素を前記選択可能なゲーム内要素に含めるか否かを制御することで、該物品情報に対応するゲーム内要素に係る物品を前記生成手段に生成させるか否かを制御する請求項１乃至８のいずれか１項に記載のゲーム装置。
【請求項１０】
コンピュータを、請求項１乃至９のいずれか１項に記載のゲーム装置の各手段として機能させるためのプログラム。
【請求項１１】
ゲーム用物品と、ゲーム用物品から取得された情報に基づいてゲームを実行するゲーム装置と、を含むゲームシステムであって、
前記ゲーム装置は、
ゲーム用物品から物品情報を取得する第１の取得手段と、
前記第１の取得手段により前記物品情報が取得されたゲーム用物品について、該ゲーム用物品に関連して生成されたゲーム用物品を示す物品生成情報を取得する第２の取得手段と、
前記ゲームを実行する実行手段と、
前記ゲームにおいて設定されたゲーム内要素に係るゲーム用物品を生成する生成手段と、
前記実行手段と前記生成手段とを制御する制御手段と、
を備え、
前記制御手段は、前記第２の取得手段により取得された前記物品生成情報に基づいて、該当の前記物品情報に対応するゲーム内要素に係るゲーム用物品の生成を前記生成手段に行わせるか否かを制御するゲームシステム。
【手続補正２】
【補正対象書類名】明細書
【補正対象項目名】発明の名称
【補正方法】変更
【補正の内容】
【発明の名称】ゲーム装置、プログラム及びゲームシステム
【手続補正３】
【補正対象書類名】明細書
【補正対象項目名】０００１
【補正方法】変更
【補正の内容】
【０００１】
本発明は、ゲーム装置、プログラム及びゲームシステムに関し、特に物品から取得した情報に基づくゲーム体験をユーザに可能ならしめるゲーム装置に関する。
【手続補正４】
【補正対象書類名】明細書
【補正対象項目名】０００６
【補正方法】変更
【補正の内容】
【０００６】
本発明は、上述の問題点に鑑みてなされたものであり、好適なゲーム体験をユーザに提供するゲーム装置、プログラム及びゲームシステムを提供することを目的とする。
【手続補正５】
【補正対象書類名】明細書
【補正対象項目名】０００７
【補正方法】変更
【補正の内容】
【０００７】
本発明のゲーム装置は、物品から取得された情報に基づいてゲームを実行するゲーム装置であって、物品から物品情報を取得する第１の取得手段と、第１の取得手段により物品情報が取得された物品について、該物品に関連して生成された物品を示す物品生成情報を取得する第２の取得手段と、ゲームを実行する実行手段と、ゲームにおいて設定されたゲーム内要素に係る物品を生成する生成手段と、実行手段と生成手段とを制御する制御手段と、を備え、制御手段は、第２の取得手段により取得された物品生成情報に基づいて、該当の物品情報に対応するゲーム内要素に係る物品の生成を生成手段に行わせるか否かを制御する。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御される
ことを特徴とする遊技機。
【手続補正２】
【補正対象書類名】明細書
【補正対象項目名】０００８
【補正方法】変更
【補正の内容】
【０００８】
手段１：始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御される
ことを特徴とする遊技機。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
前記有利状態に制御される場合と前記有利状態に制御されない場合とで共通に実行される共通演出を実行可能な共通演出実行手段と、
前記有利状態に制御される場合に、共通演出が実行された後に特定音を出力可能な特定音出力手段と、
共通演出の実行中に、該共通演出の種類に応じた楽曲を出力可能な楽曲出力手段と、を備え、
前記共通演出実行手段は、少なくとも第１共通演出と第２共通演出とを含む複数種類の共通演出を実行可能であり、
前記特定音出力手段は、前記楽曲に対応した特定音を出力可能であるとともに、前記第１共通演出が実行された後と前記第２共通演出が実行された後とで異なる特定音を出力可能である、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を行うことが可能であり、遊技者にとって有利な有利状態に制御可能な遊技機であって、有利状態に制御される場合と有利状態に制御されない場合とで共通に実行される共通演出を実行可能な共通演出実行手段と、有利状態に制御される場合に、共通演出が実行された後に特定音を出力可能な特定音出力手段と、共通演出の実行中に、該共通演出の種類に応じた楽曲を出力可能な楽曲出力手段と、を備え、共通演出実行手段は、少なくとも第１共通演出と第２共通演出とを含む複数種類の共通演出を実行可能であり、特定音出力手段は、楽曲に対応した特定音を出力可能であるとともに、第１共通演出が実行された後と第２共通演出が実行された後とで異なる特定音を出力可能である、
ことを特徴とする。
（手段１）また、他の遊技機として、遊技を行うことが可能であり、遊技者にとって有利な有利状態（例えば、大当り遊技状態）に制御可能な遊技機であって、有利状態に制御される場合と有利状態に制御されない場合とで共通に実行される共通演出（例えば、スーパーリーチ演出Ｄのうちのキャラクタ演出Ｄ）を実行可能な共通演出実行手段（例えば、演出制御用ＣＰＵ１２０におけるステップ８７ＩＷＳ０１２，８７ＩＷＳ０１４，８７ＩＷＳ１０５を実行する部分）と、有利状態に制御される場合に、共通演出が実行された後に特定音（例えば、特定音Ｓ１〜Ｓ４）を出力可能な特定音出力手段（例えば、演出制御用ＣＰＵ１２０におけるステップ８７ＩＷＳ１７５を実行する部分）とを備え、共通演出実行手段は、少なくとも第１共通演出と第２共通演出とを含む複数種類の共通演出を実行可能であり（例えば、複数のキャラクタＣ１〜Ｃ４を用いてキャラクタ演出Ｄを実行可能である）、特定音出力手段は、第１共通演出が実行された後と第２共通演出が実行された後とで異なる特定音を出力可能である（例えば、図２０−６および図２０−１２に示すように、スーパーリーチ演出Ｄにおいて、いずれのキャラクタＣ１〜Ｃ４を用いてキャラクタ演出Ｄが実行されたかによって、いずれの特定音Ｓ１〜Ｓ４が音出力されるかが異なる）、
ことを特徴としてもよい。そのような構成によれば、特定音を出力する場合の演出効果を高めることができる。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
特別演出を実行可能な特別演出実行手段を備え、
前記特別演出実行手段は、
第１特別演出を実行する第１パターンと、第２特別演出を実行する第２パターンと、第１特別演出と第２特別演出とを並行して実行可能な第３パターンとを含む複数種類のパターンのうちのいずれかのパターンにより特別演出を実行可能であり、
前記第３パターンにより特別演出を実行する場合に、第１特別演出に対応する第１演出表示を表示する第１演出表示領域と、第２特別演出に対応する第２演出表示を表示する第２演出表示領域と、において、それぞれ第１演出表示と第２演出表示とが表示された状態から、共通の演出表示が表示された状態に切り替え可能であり、
前記第１パターンにより特別演出を実行する場合と前記第２パターンにより特別演出を実行する場合は、異なる演出期間にて第１特別演出と第２特別演出とを実行するとともに、前記第３パターンにより特別演出を実行する場合は、同じ演出期間にて第１特別演出と第２特別演出とを実行する、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を行うことが可能な遊技機であって、特別演出を実行可能な特別演出実行手段を備え、特別演出実行手段は、第１特別演出を実行する第１パターンと、第２特別演出を実行する第２パターンと、第１特別演出と第２特別演出とを並行して実行可能な第３パターンとを含む複数種類のパターンのうちのいずれかのパターンにより特別演出を実行可能であり、第３パターンにより特別演出を実行する場合に、第１特別演出に対応する第１演出表示を表示する第１演出表示領域と、第２特別演出に対応する第２演出表示を表示する第２演出表示領域とにおいて、それぞれ第１演出表示と第２演出表示とが表示された状態から、共通の演出表示が表示された状態に切り替え可能であり、第１パターンにより特別演出を実行する場合と第２パターンにより特別演出を実行する場合は、異なる演出期間にて第１特別演出と第２特別演出とを実行するとともに、第３パターンにより特別演出を実行する場合は、同じ演出期間にて第１特別演出と第２特別演出とを実行する、
ことを特徴とする。
（手段１）また、他の遊技機として、遊技を行うことが可能な遊技機であって、特別演出（例えば、スーパーリーチ演出Ａ〜Ｃのうちのキャラクタ演出Ａ，Ｂ）を実行可能な特別演出実行手段（例えば、演出制御用ＣＰＵ１２０におけるステップ８７ＩＷＳ０１２，８７ＩＷＳ０１４，８７ＩＷＳ１０５，８７ＩＷＳ１４２，８７ＩＷＳ１４８を実行する部分）を備え、特別演出実行手段は、第１特別演出（例えば、スーパーリーチ演出Ａのうちのキャラクタ演出Ａ）を実行する第１パターン（例えば、スーパーリーチ演出Ａ）と、第２特別演出（例えば、スーパーリーチ演出Ｂのうちのキャラクタ演出Ｂ）を実行する第２パターン（例えば、スーパーリーチ演出Ｂ）と、第１特別演出と第２特別演出とを並行して実行可能な第３パターン（例えば、キャラクタ演出Ａとキャラクタ演出Ｂとを並行して実行可能なスーパーリーチ演出Ｃ）とを含む複数種類のパターンのうちのいずれかのパターンにより特別演出を実行可能であり、第３パターンにより特別演出を実行する場合に、第１特別演出に対応する第１演出表示（例えば、キャラクタ演出Ａの表示）を表示する第１演出表示領域（例えば、画像表示装置５の左側の表示領域）と、第２特別演出に対応する第２演出表示（例えば、キャラクタ演出Ｂの表示）を表示する第２演出表示領域（例えば、画像表示装置５の右側の表示領域）とにおいて、それぞれ第１演出表示と第２演出表示とが表示された状態から、共通の演出表示が表示された状態に切り替え可能である（例えば、図２０−１８（Ｄ）に示すキャラクタ演出Ａとキャラクタ演出Ｂとが並行して実行されている状態から、図２０−１９（Ｅ）に示す共通演出２が実行されている状態に切り替えられる）、
ことを特徴としてもよい。そのような構成によれば、特別演出を実行する場合の演出効果を高めることができる。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
クエスト実行によりユーザーのポイントを消費する手段と、
前記ポイントを第１最大値から第２最大値までの値に自動的に回復させる手段と、
前記ポイントを第１最大値まで時間経過により回復させ、かつ、前記自動的にポイントが回復した後、当該ポイントを第２最大値まで時間経過により回復させる手段と、
を備える情報処理装置。
【請求項２】
コンピューターを、
クエスト実行によりユーザーのポイントを消費する手段、
前記ポイントを第１最大値から第２最大値までの値に自動的に回復させる手段、
前記ポイントを第１最大値まで時間経過により回復させ、かつ、前記自動的にポイントが回復した後、当該ポイントを第２最大値まで時間経過により回復させる手段、
として機能させるプログラム。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
画像を表示可能な表示手段と、
異常を検出する異常検出手段と、
前記異常検出手段により異常が検出された場合に、異常が検出されたことを示す異常検出音声を出力する異常報知手段と、
前記表示手段に遊技に関する情報を表示させることが可能な表示制御手段と、
前記表示手段に表示された所定画像を視認困難な視認困難状態とする視認困難演出を実行可能な演出実行手段と、を備え、
前記演出実行手段は、前記視認困難演出として、前記遊技に関する情報を視認困難としない第１視認困難演出と、前記遊技に関する情報を視認困難とする第２視認困難演出と、を実行可能であり、
前記異常報知手段は、前記演出実行手段により前記視認困難演出が実行されている場合であっても、前記異常検出音声を出力可能である、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を実行可能な遊技機であって、画像を表示可能な表示手段と、異常を検出する異常検出手段と、異常検出手段により異常が検出された場合に、異常が検出されたことを示す異常検出音声を出力する異常報知手段と、表示手段に遊技に関する情報を表示させることが可能な表示制御手段と、表示手段に表示された所定画像を視認困難な視認困難状態とする視認困難演出を実行可能な演出実行手段と、を備え、演出実行手段は、視認困難演出として、遊技に関する情報を視認困難としない第１視認困難演出と、遊技に関する情報を視認困難とする第２視認困難演出と、を実行可能であり、異常報知手段は、演出実行手段により視認困難演出が実行されている場合であっても、異常検出音声を出力可能である、ことを特徴とする。
（手段１）他の遊技機は、遊技を実行可能な遊技機であって、画像を表示可能な表示手段（例えば、演出表示装置９）と、表示手段に遊技に関する情報（例えば、保留表示を含むインターフェース画像、演出確変カウンタ画像、および右打ち促進報知画像。他にも、制御されている演出モードに関する情報（例えば、モード名）、出力されている音声に関する情報（例えば、曲名）、通信端末を用いたサービスに関する情報（例えば、獲得ポイント、アイテム、二次元コード）、可動役物を駆動させることに伴うエフェクト表示、ミッションを達成したことを示すミッション表示（例えば、「スーパーリーチＡを見た」、「リーチを連続で見た」といった表示）、実行中の変動に対応するアクティブ表示、操作促進表示、遊技の仕方や演出の説明に関する情報であってもよい。）を表示させることが可能な表示制御手段（例えば、演出制御用マイクロコンピュータ１００における、ステップＳ６５３，Ｓ６５６，Ｓ６５９，Ｓ６６２を実行することにより保留表示を表示する部分と、ステップＳ６８４Ｄを実行することにより演出確変カウンタ画像を表示する部分と、ステップＳ６８４Ａを実行することにより右打ち促進報知画像を表示する部分）と、表示手段に表示された所定画像を視認困難な視認困難状態とする視認困難演出（例えば、ブラックアウト予告）を実行可能な演出実行手段（例えば、演出制御用マイクロコンピュータ１００における、ステップＳ４５１０，Ｓ４５１４を実行する部分）とを備え、演出実行手段は、視認困難演出として、遊技に関する情報を視認困難としない第１視認困難演出（例えば、インターフェース画像、右打ち促進報知画像および演出確変カウンタ画像を除く画像を視認困難とする第１ブラックアウト予告）と、遊技に関する情報を視認困難とする第２視認困難演出（例えば、インターフェース画像、右打ち促進報知画像および演出確変カウンタ画像を含む画像を視認困難とする第２ブラックアウト予告）とを実行可能であることを特徴とする。そのような構成によれば、遊技興趣の低下を防止することができる。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
中子の原材料を混練するための混練槽と、
前記混練槽内で前記原材料を混練して混合物を得る混練手段と、
前記混練手段を前記混練槽内から後退させた状態で前記混合物を上部から押圧することで、前記混合物を前記混練槽から造型金型内に圧入させる押圧手段と、
を備えた中子造型装置であって、
前記混練槽の底部には、前記混合物を射出させるための射出孔と、当該射出孔を塞ぐように配設された弾性プレートと、が設けられ、
前記弾性プレートには切れ目が形成されており、前記押圧手段によって前記混合物が押圧された際に、前記弾性プレートの切れ目が開いて前記混合物が前記弾性プレートを通過して前記射出孔から射出される、
中子造型装置。
【請求項２】
前記弾性プレートに形成された前記切れ目は、前記弾性プレートを平面視した際に十字状である、請求項１に記載の中子造型装置。
【請求項３】
前記射出孔は下方から栓を挿入することで封止可能に構成されており、
前記栓が前記弾性プレートの切れ目に挿入されて、前記弾性プレートが変形することで前記栓が固定される、
請求項１または２に記載の中子造型装置。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
物体側から観察側へ順に配置された、正の屈折力の第１レンズ、物体側に凹面を向けたメニスカス形状であり、負の屈折力を有する第２レンズ、正の屈折力の第３レンズ、正の屈折力の第４レンズから構成される接眼光学系であって、
前記第２レンズの観察側のレンズ面の曲率半径をＲ２２、前記第３レンズの物体側のレンズ面の曲率半径をＲ３１、前記第３レンズの観察側のレンズ面の曲率半径をＲ３２、前記第４レンズの物体側のレンズ面の曲率半径をＲ４１としたとき、
１．００＜（Ｒ３１＋Ｒ２２）／（Ｒ３１−Ｒ２２）＜４．５０
１．００＜（Ｒ４１＋Ｒ３２）／（Ｒ４１−Ｒ３２）＜４．５０
なる条件式を満足することを特徴とする接眼光学系。
【請求項２】
前記第１レンズの焦点距離をｆ１、前記第２レンズの焦点距離をｆ２としたとき、
−１．２５＜ｆ１／ｆ２＜−０．５０
なる条件式を満足することを特徴とする請求項１に記載の接眼光学系。
【請求項３】
前記第１レンズの物体側のレンズ面の曲率半径をＲ１１、前記第１レンズの観察側のレンズ面の曲率半径をＲ１２としたとき、
−１．００＜（Ｒ１２＋Ｒ１１）／（Ｒ１２−Ｒ１１）＜−０．４０
なる条件式を満足することを特徴とする請求項１または２に記載の接眼光学系。
【請求項４】
前記第２レンズの材料のｄ線に対する屈折率をＮｄ２としたとき、
１．６０＜Ｎｄ２＜２．１０
なる条件式を満足することを特徴とする請求項１乃至３のいずれか１項に記載の接眼光学系。
【請求項５】
前記第２レンズの材料のｄ線を基準としたアッベ数をνｄ２としたとき、
５．００＜νｄ２＜２３．００
なる条件式を満足することを特徴とする請求項１乃至４のいずれか１項に記載の接眼光学系。
【請求項６】
前記第２レンズは樹脂材料から形成されることを特徴とする請求項１乃至５のいずれか１項に記載の接眼光学系。
【請求項７】
画像を表示する画像表示素子と、
該画像表示素子の画像表示面に表示される画像を観察するために用いられる請求項１乃至６のいずれか１項に記載の接眼光学系を有することを特徴とする観察装置。
【請求項８】
前記画像表示面の対角長の半分をＨとするとき、
０．２５＜Ｈ／ｆ＜０．５５
なる条件式を満足することを特徴とする請求項７に記載の観察装置。
【請求項９】
撮像素子と、
前記撮像素子に物体像を形成する撮像光学系と、
前記物体像を表示する画像表示素子と、
前記画像表示素子で表示された画像を観察するために用いられる請求項１乃至６のいずれか１項に記載の接眼光学系を有することを特徴とする撮像装置。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
空気調和設備の吹き出し口に取り付けられる気流調整部材であって、
前記吹き出し口に取付けられる額縁と、
この額縁から室内側に突出して取付けられるブラケットと、
前記ブラケットに着脱自在に固定された底板および周壁版と、を備え、
前記底板および前記周壁板は、全部が開口部を有するか、あるいは少なくとも１つが開口部を有しない遮蔽板であり（但し、前記底板および前記周壁板の全部が遮蔽板であってはならない）、
前記底板および前記周壁板を交換可能にした気流調整部材。
【請求項２】
前記底板および前記周壁板を配置するための取付フレームを備えた請求項１に記載の気流調整部材
【請求項３】
前記開口部を有する前記底板および前記周壁板が、パンチング材、メッシュ材またはスリット材である請求項１または２に記載の気流調整部材。
【請求項４】
前記取付フレームが、側面視で逆台形状に室内側に突出している請求項１〜３のいずれかに記載の気流調整部材。
【請求項５】
前記ブラケットは、前記額縁の周方向に複数設けられ、前記額縁から前記底板に達する長さを有し、前記額縁、周壁板および底板にねじ止めされる請求項１〜４のいずれかに記載の気流調整部材。
【請求項６】
前記底板および周壁板は、開口部の開口率が異なる複数の底板および周壁板をさらに備える請求項１〜５のいずれかに記載の気流調整部材。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
圧縮機、凝縮器、膨張弁、及び蒸発器を順次に介して冷媒が循環する冷媒回路と、
少なくとも前記圧縮機及び前記膨張弁を制御する制御部と、
室内の温度を検出する室内温度センサと、を備え、
前記凝縮器及び前記蒸発器の一方は室外熱交換器であり、他方は室内熱交換器であり、
前記制御部は、
前記室内熱交換器を前記蒸発器として機能させ、前記室内熱交換器を凍結させ、
前記室内熱交換器の凍結では室内ファンを停止させるか、又は、前記室内ファンの駆動と停止を交互に行い、
通常の空調運転時、前記室内温度センサの検出値を各機器の制御に用い、
前記室内熱交換器の凍結時、前記室内温度センサの検出値を前記各機器の制御に用いない
ことを特徴とする空気調和機。
【手続補正２】
【補正対象書類名】明細書
【補正対象項目名】０００６
【補正方法】変更
【補正の内容】
【０００６】
前記課題を解決するために、本発明は、圧縮機、凝縮器、膨張弁、及び蒸発器を順次に介して冷媒が循環する冷媒回路と、少なくとも前記圧縮機及び前記膨張弁を制御する制御部と、室内の温度を検出する室内温度センサと、を備え、前記凝縮器及び前記蒸発器の一方は室外熱交換器であり、他方は室内熱交換器であり、前記制御部は、前記室内熱交換器を前記蒸発器として機能させ、前記室内熱交換器を凍結させ、前記室内熱交換器の凍結では室内ファンを停止させるか、又は、前記室内ファンの駆動と停止を交互に行い、通常の空調運転時、前記室内温度センサの検出値を各機器の制御に用い、前記室内熱交換器の凍結時、前記室内温度センサの検出値を前記各機器の制御に用いないことを特徴とする。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
内箱と、外箱と、内箱及び外箱の間に形成された断熱空間に設けられた真空断熱材と、前記内箱の内側に設けられた内側部材と、前記内箱に固定され前記内側部材を前記内箱に取り付ける固定具とを備え、
前記固定具は前記内箱から前記断熱空間側へ突出し前記内箱を挟持する爪部を備え、
前記爪部は、前記断熱空間の厚さ方向に前記真空断熱材と対向しない位置に設けられている冷蔵庫。
【請求項２】
前記爪部が設けられた位置における前記断熱空間の厚さが、前記真空断熱材が設けられた位置における前記断熱空間の厚さより大きい請求項１に記載の冷蔵庫。
【請求項３】
前記断熱空間に設けられた発泡断熱材を備え、前記爪部が前記発泡断熱材に接触している請求項１又は２に記載の冷蔵庫。
【手続補正２】
【補正対象書類名】明細書
【補正対象項目名】０００７
【補正方法】変更
【補正の内容】
【０００７】
本実施形態の冷蔵庫は、内箱と、外箱と、内箱及び外箱の間に形成された断熱空間に設けられた真空断熱材と、前記内箱の内側に設けられた内側部材と、前記内箱を内側から外側へ貫通して前記内箱に固定され前記内側部材を前記内箱に取り付ける固定具とを備え、前記固定具は前記内箱から前記断熱空間側へ突出し前記内箱を挟持する爪部を備え、前記爪部は、前記断熱空間の厚さ方向に前記真空断熱材と対向しない位置に設けられている。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
燃焼器用の噴霧器であって：
霧化領域；
燃料が前記霧化領域へ入り込むことを可能にするように構成される少なくとも１つの第１流入口、及び、霧化媒体が前記霧化領域へ入り込むことを可能にするように構成される少なくとも１つの第２流入口を有する近端部；並びに、
霧化された燃料が前記霧化領域を飛び出すことを可能にするように構成される複数の流出口を有して、外側表面は、空気流が前記複数の流出口の周り及び前記複数の流出口の間を流れることを可能にする形状をとる遠端部、を有し、
前記複数の流出口は、非円形断面を有する孔を有し、
前記複数の流出口は、非円形内側断面を画定する孔又は径及び非円形外側断面を画定する管を有し、
前記複数の流出口の孔の内側断面は、正方形、長方形、又は曲率を有するスロット形状で、
前記複数の流出口は、様々な方位で前記遠端部の外側表面から突出する、
噴霧器。
【請求項２】
請求項１に記載の噴霧器であって、
前記噴霧器の近端部は複数の第１流入口を有する、噴霧器。
【請求項３】
請求項２に記載の噴霧器であって、
前記噴霧器の近端部は複数の第２流入口を有する、噴霧器。
【請求項４】
請求項１乃至３のうちいずれか一項に記載の噴霧器であって、
少なくとも１つの流出口と少なくとも１つの他の流出口との間で空気が流れることを可能にするように、前記少なくとも１つの流出口と前記少なくとも１つの他の流出口との間にチャネル、溝、切込み、凹部、又はくぼみ部を有する、噴霧器。
【請求項５】
請求項１乃至４のうちいずれか一項に記載の噴霧器であって、
前記第１流入口は複数の第１流入口を含み、
前記第２流入口は複数の第２流入口を含み、
前記複数の第１流入口は、前記複数の第２流入口の外側で放射状に設けられる、
噴霧器。
【請求項６】
請求項１乃至４のうちいずれか一項に記載の噴霧器であって、
前記第１流入口は複数の第１流入口を含み、
前記第２流入口は複数の第２流入口を含み、
前記複数の第１流入口及び前記複数の第２流入口は、前記複数の第１流入口を介して前記霧化領域へ入り込む燃料、及び、前記複数の第２流入口を介して前記霧化領域へ入り込む霧化媒体を、互いへ向かうように案内することで、前記燃料を霧化するように構成される、噴霧器。
【請求項７】
請求項１乃至６のうちいずれか一項に記載の噴霧器であって、
内部に設けられた凹部を備える周辺スカート部を有する、噴霧器。
【請求項８】
請求項７に記載の噴霧器であって、
前記周辺スカート部の内側表面が接続手段を有する、噴霧器。
【請求項９】
請求項８に記載の噴霧器であって、
前記接続手段が内側ねじ山である、噴霧器。
【請求項１０】
請求項１乃至９のうちいずれか一項に記載の噴霧器であって、
金属又は金属合金を含む、噴霧器。
【請求項１１】
請求項１乃至１０のうちいずれか一項に記載の噴霧器であって、コバルト・クロムを含む、噴霧器。
【請求項１２】
燃焼領域；及び、
請求項１乃至１１のうちいずれか一項に記載の噴霧器、を有する燃焼器であって、
前記噴霧器の流出口は、前記燃焼領域と流体をやりとりし、かつ、霧化された燃料を前記燃焼領域へ導入するように構成される、燃焼器。
【請求項１３】
請求項１２に記載の燃焼器であって、
前記燃焼領域が一次燃焼領域である、燃焼器。
【請求項１４】
請求項１２又は１３に記載の燃焼器であって、
前記燃焼領域を生成する燃焼安定化装置をさらに有する、燃焼器。
【手続補正書】
【提出日】令和1年8月20日(2019.8.20)
【手続補正１】
【補正対象書類名】明細書
【補正対象項目名】０００６
【補正方法】変更
【補正の内容】
【０００６】
ドア１５は、ドア本体１５１と、グラスウール等の断熱材から成る内扉１５２と、該内扉１５２をドア本体１５１に対して内部空間１１側に付勢するばね１５３と、を含む。ドア本体１５１は垂直方向（図５（ａ）では紙面に直交する方向）に延伸するドア軸１６を中心に回動自在にオーブン室本体１０（厳密には左側面壁１０２）に固定されている。図５（ａ）に示すように、ドア１５を閉じているとき、ばね１５３の付勢力により内扉１５２は後方に押される。これにより、内扉１５２は上下左右の側面壁１０１、１０２、１０４等の前縁部に押し付けられ、ドア１５はオーブン室本体１０を略密閉する。
【手続補正２】
【補正対象書類名】図面
【補正対象項目名】図１
【補正方法】変更
【補正の内容】
【図１】
2018189535.tif 000001
【手続補正３】
【補正対象書類名】図面
【補正対象項目名】図２
【補正方法】変更
【補正の内容】
【図２】
2018189535.tif 000002
【手続補正４】
【補正対象書類名】図面
【補正対象項目名】図３
【補正方法】変更
【補正の内容】
【図３】
2018189535.tif 000003
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
移動体に備えられる表示装置であって、
前記移動体の進行方向における所定の位置に少なくとも１つの図形が配置されているとした場合における、前記移動体から見た場合の前記少なくとも１つの図形を示す仮想画像を、前記進行方向の実空間に重畳して表示媒体に表示させる表示制御部と、
前記少なくとも１つの図形を前記実空間において配置すべき仮想的な位置である配置位置と前記移動体の進行方向における道路とに関する道路情報を取得する道路情報取得部とを備え、
前記表示制御部は、前記道路情報取得部が取得した道路情報を用いて、前記少なくとも１つの図形の態様を更新し、更新後の前記少なくとも１つの図形を示す前記仮想画像を前記表示媒体に表示させる
表示装置。
【請求項２】
前記道路情報取得部は、前記配置位置と前記移動体との距離を示す前記道路情報を取得する
請求項１記載の表示装置。
【請求項３】
前記表示制御部は、前記道路情報に示される、前記移動体と前記配置位置との距離が短いほど、前記少なくとも１つの図形の前記進行方向における長さを小さくする
請求項２記載の表示装置。
【請求項４】
前記表示制御部は、前記道路情報に示される、前記移動体と前記配置位置との距離が長いほど、前記少なくとも１つの図形の前記進行方向における長さを大きくする
請求項２または３に記載の表示装置。
【請求項５】
前記道路情報取得部は、前記配置位置における路面と、前記進行方向とがなす角度である相対勾配角を示す前記道路情報を取得する
請求項１〜４のいずれか１項に記載の表示装置。
【請求項６】
前記表示制御部は、前記道路情報に示される相対勾配角が、前記移動体における上方を正とした場合において大きいほど、前記少なくとも１つの図形の、前記配置位置における道路の延設方向における長さ、または、前記少なくとも１つの図形における２つの図形の前記延設方向における間隔を小さくする
請求項５記載の表示装置。
【請求項７】
前記表示制御部は、前記道路情報に示される相対勾配角が、前記移動体における上方を正とした場合において小さいほど、前記少なくとも１つの図形の、前記配置位置における道路の延設方向における長さ、または、前記少なくとも１つの図形における２つの図形の前記延設方向における間隔を大きくする
請求項５または６に記載の表示装置。
【請求項８】
前記表示制御部は、
前記少なくとも１つの図形を、前記配置位置における道路の延設方向に移動させながら、前記仮想画像を前記実空間に重畳して前記表示媒体に表示させ、かつ、前記道路情報に示される相対勾配角が、前記移動体における上方を正とした場合において大きいほど、前記少なくとも１つの図形の移動速度を小さくする
請求項５〜７のいずれか１項に記載の表示装置。
【請求項９】
前記表示制御部は、
前記少なくとも１つの図形を、前記配置位置における道路の延設方向に移動させながら、前記仮想画像を前記実空間に重畳して前記表示媒体に表示させ、かつ、前記道路情報に示される相対勾配角が、前記移動体における上方を正とした場合において小さいほど、前記少なくとも１つの図形の移動速度を大きくする
請求項５〜８のいずれか１項に記載の表示装置。
【請求項１０】
前記道路情報取得部は、前記配置位置における道路の延設方向と、前記進行方向とのなす角度である曲がり角を示す前記道路情報を取得する
請求項１〜９のいずれか１項に記載の表示装置。
【請求項１１】
前記表示制御部は、前記道路情報に示される曲がり角が大きいほど、前記少なくとも１つの図形の前記延設方向における長さ、または、前記少なくとも１つの図形における２つの図形の前記延設方向における間隔を小さくする
請求項１０記載の表示装置。
【請求項１２】
前記表示制御部は、前記道路情報に示される曲がり角が小さいほど、前記少なくとも１つの図形の前記延設方向における長さ、または、前記少なくとも１つの図形における２つの図形の前記延設方向における間隔を大きくする
請求項１０または１１に記載の表示装置。
【請求項１３】
移動体に備えられる表示装置を制御するための表示制御方法であって、
実空間において前記移動体の進行方向における所定の位置に少なくとも１つの図形が配置されているとした場合における、前記移動体から見た場合の前記少なくとも１つの図形を示す仮想画像を、前記進行方向の実空間に重畳して表示媒体に表示させる表示制御ステップと、
前記少なくとも１つの図形を前記実空間において配置すべき仮想的な位置である配置位置と前記移動体の進行方向における道路とに関する道路情報を取得する道路情報取得ステップとを含み、
前記表示制御ステップでは、前記道路情報取得ステップにおいて取得された道路情報を用いて、前記少なくとも１つの図形の態様を更新し、更新後の前記少なくとも１つの図形を示す前記仮想画像を前記表示媒体に表示させる
表示制御方法。
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
燃料を噴射するための噴孔（５１１）が、長手方向における一端に形成されたハウジング（１００）と、
前記ハウジングの内部において前記長手方向に沿って移動することにより、前記噴孔の開閉を切り換えるニードル（２００）と、
少なくとも一部が磁性体によって形成された部材であって、前記ハウジングの内部に固定されている固定コア（４００）と、
少なくとも一部が磁性体によって形成された部材であって、前記ハウジングの内部において、前記長手方向に沿って前記ニードルと共に移動可能な状態で配置されている可動コア（３００）と、
前記固定コアと前記可動コアとの間に磁気吸引力を発生させるコイル（６００）と、を備え、
前記固定コアは、硬度が高い固定側高硬度部（４１０）と、前記固定側高硬度部よりも硬度が低い固定側低硬度部（４２０）と、を有しており、
前記可動コアは、硬度が高い可動側高硬度部（３１０）と、前記可動側高硬度部よりも硬度が低い可動側低硬度部（３２０）と、を有しており、
前記コイルに電流が供給されると、発生した前記磁気吸引力によって前記可動コアが前記ニードルと共に前記固定コア側に移動し、前記可動側高硬度部が前記固定側高硬度部に当たるように構成されている燃料噴射弁。
【請求項２】
前記固定側高硬度部は、前記固定コアのうち前記長手方向に沿った一方側の端部から他方側の端部まで伸びるように形成されており、
前記可動側高硬度部は、前記可動コアのうち前記長手方向に沿った一方側の端部から他方側の端部まで伸びるように形成されている、請求項１に記載の燃料噴射弁。
【請求項３】
前記固定側高硬度部のうち前記可動側高硬度部側とは反対側の部分における外径は、前記固定側高硬度部のうち前記可動側高硬度部側の部分における外径よりも大きく、
前記可動側高硬度部のうち前記固定側高硬度部側とは反対側の部分における外径は、前記可動側高硬度部のうち前記固定側高硬度部側の部分における外径よりも大きい、請求項２に記載の燃料噴射弁。
【請求項４】
前記固定側高硬度部が前記ハウジングの内面に接合されている、請求項３に記載の燃料噴射弁。
【請求項５】
前記固定側高硬度部は、少なくともその一部が前記固定側低硬度部よりも内側となる位置に配置されており、
前記可動側高硬度部は、少なくともその一部が前記可動側低硬度部よりも内側となる位置に配置されている、請求項３に記載の燃料噴射弁。
【請求項６】
前記可動コアには、前記可動側高硬度部を前記長手方向に沿って貫く可動側貫通穴（３１３）が形成されており、
前記ニードルは前記可動側貫通穴に挿通されている、請求項５に記載の燃料噴射弁。
【請求項７】
前記可動側高硬度部が、前記ハウジングの内面に当接した状態で摺動するように構成されている、請求項３に記載の燃料噴射弁。
【請求項８】
前記可動側高硬度部と前記ニードルとが一体となっている、請求項１に記載の燃料噴射弁。
【請求項９】
前記可動コア及び前記ニードルの移動に伴って、互いに当接した状態で摺動する部分である第１部分と第２部分のうち少なくとも一方に、その硬度を高めるための高硬度化処理が施されている、請求項１乃至８のいずれか１項に記載の燃料噴射弁。
【請求項１０】
前記可動コア及び前記ニードルの移動に伴って、互いに当接した状態で摺動する部分である第１部分と第２部分のうち少なくとも一方に、摩擦力を低下させるための表面処理が施されている、請求項１乃至９のいずれか１項に記載の燃料噴射弁。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
エンジン（２）からラジエータ（１１）への冷却水が流れるメイン流路（Ｒｍ）と、前記ラジエータをバイパスして前記エンジンに接続し前記エンジンから流出した冷却水を前記エンジンに戻すバイパス流路（Ｒｂ）とを備えるエンジン冷却システム（１）の前記メイン流路を流れる冷却水の流量を制御する冷却水制御弁装置（１０）であって、
前記メイン流路を流れる冷却水の流量を制御可能なバルブ（４１）と、
前記バルブを迂回して前記エンジン側から前記メイン流路側に接続する迂回通路（Ｐｄ）と、
前記バルブとは別に独立して作動し前記迂回通路を開閉可能な弁本体（５１）、および、冷却水の温度に基づき前記弁本体を作動させて前記迂回通路を開閉可能とする温度検知媒体（５２）を有するフェールセーフバルブ（５０）と、を備え、
前記エンジンからの冷却水が流入する流入口（Ｏｉｎ）から前記バイパス流路と前記迂回通路とに分岐する部分を分岐部（Ｄｉｖ）とすると、
前記温度検知媒体は、前記分岐部に突出することなく、全体が前記迂回通路に収容されており、
前記バルブは、筒状に形成され、
前記流入口は、前記バルブの軸上に形成されている冷却水制御弁装置。
【請求項２】
エンジン（２）からラジエータ（１１）への冷却水が流れるメイン流路（Ｒｍ）と、前記ラジエータをバイパスして前記エンジンに接続し前記エンジンから流出した冷却水を前記エンジンに戻すバイパス流路（Ｒｂ）とを備えるエンジン冷却システム（１）の前記メイン流路を流れる冷却水の流量を制御する冷却水制御弁装置（１０）であって、
前記メイン流路を流れる冷却水の流量を制御可能なバルブ（４１）と、
前記バルブを迂回して前記エンジン側から前記メイン流路側に接続する迂回通路（Ｐｄ）と、
前記バルブとは別に独立して作動し前記迂回通路を開閉可能な弁本体（５１）、および、冷却水の温度に基づき前記弁本体を作動させて前記迂回通路を開閉可能とする温度検知媒体（５２）を有するフェールセーフバルブ（５０）と、を備え、
前記温度検知媒体は、前記エンジンからの冷却水が流入する流入口（Ｏｉｎ）から前記バイパス流路に向かう経路（Ｐｂ）とは異なり、かつ、前記流入口と前記バイパス流路とに連通可能な位置（Ｐｏｓ）に設けられており、
前記バルブは、筒状に形成され、
前記流入口は、前記バルブの軸上に形成されている冷却水制御弁装置。
【請求項３】
エンジン（２）からラジエータ（１１）への冷却水が流れるメイン流路（Ｒｍ）と、前記ラジエータをバイパスして前記エンジンに接続し前記エンジンから流出した冷却水を前記エンジンに戻すバイパス流路（Ｒｂ）とを備えるエンジン冷却システム（１）の前記メイン流路を流れる冷却水の流量を制御する冷却水制御弁装置（１０）であって、
前記メイン流路を流れる冷却水の流量を制御可能なバルブ（４１）と、
前記バルブを迂回して前記エンジン側から前記メイン流路側に接続する迂回通路（Ｐｄ）と、
前記バルブとは別に独立して作動し前記迂回通路を開閉可能な弁本体（５１）、および、冷却水の温度に基づき前記弁本体を作動させて前記迂回通路を開閉可能とする温度検知媒体（５２）を有するフェールセーフバルブ（５０）と、を備え、
前記エンジンからの冷却水が流入する流入口（Ｏｉｎ）から前記迂回通路側に向かって、前記バイパス流路への入口であるバイパス流路開口部（Ｏｂ）、前記温度検知媒体の順に並んでおり、
前記バルブは、筒状に形成され、
前記流入口は、前記バルブの軸上に形成されている冷却水制御弁装置。
【請求項４】
エンジン（２）からラジエータ（１１）への冷却水が流れるメイン流路（Ｒｍ）と、前記ラジエータをバイパスして前記エンジンに接続し前記エンジンから流出した冷却水を前記エンジンに戻すバイパス流路（Ｒｂ）とを備えるエンジン冷却システム（１）の前記メイン流路を流れる冷却水の流量を制御する冷却水制御弁装置（１０）であって、
前記エンジンと前記メイン流路および前記バイパス流路との間に設けられ、前記エンジンに接続し前記エンジンからの冷却水が流入する流入口（Ｏｉｎ）、前記メイン流路に接続し前記メイン流路への冷却水が流れるメイン流路開口部（Ｏｍ）、前記バイパス流路に接続し前記バイパス流路への冷却水が流れるバイパス流路開口部（Ｏｂ）、前記流入口と前記メイン流路開口部とを接続するメイン通路（Ｐｍ）、前記流入口と前記バイパス流路開口部とを接続するバイパス通路（Ｐｂ）、および、前記バルブを迂回して前記バイパス通路から前記メイン流路に接続する迂回通路（Ｐｄ）を有するハウジング（２０）と、
前記ハウジングに収容され、前記流入口から前記メイン流路に流れる冷却水の流量を制御可能なバルブ（４１）と、
前記バルブとは別に独立して作動し前記迂回通路を開閉可能な弁本体（５１）、および、冷却水の温度に基づき前記弁本体を作動させて前記迂回通路を開閉可能とする温度検知媒体（５２）を有するフェールセーフバルブ（５０）と、を備え、
前記温度検知媒体は、前記バイパス通路に突出することなく、全体が前記迂回通路に収容されており、
前記バルブは、筒状に形成され、
前記流入口は、前記バルブの軸上に形成されている冷却水制御弁装置。
【請求項５】
前記温度検知媒体は、前記流入口から前記バイパス流路開口部に向かう経路（Ｐｂ）とは異なり、かつ、前記流入口と前記バイパス流路開口部とに連通可能な位置（Ｐｏｓ）に設けられている請求項４に記載の冷却水制御弁装置。
【請求項６】
前記流入口から前記バイパス通路および前記迂回通路を経由して前記メイン流路に向かう経路において、前記バイパス流路開口部は、前記温度検知媒体に対し前記流入口側に位置している請求項４または５に記載の冷却水制御弁装置。
【請求項７】
前記温度検知媒体は、前記流入口と前記バイパス流路開口部とを最短で結ぶ経路である前記バイパス通路から所定距離以上離れた位置（Ｐｏｓ）に設けられている請求項４〜６のいずれか一項に記載の冷却水制御弁装置。
【請求項８】
前記温度検知媒体は、内部にワックスを封入した感温部（５２１）を有している請求項１〜７のいずれか一項に記載の冷却水制御弁装置。
【請求項９】
前記バルブは、有底筒状に形成され、底部とは反対側の開口部が前記流入口を向くよう設けられている請求項１〜８のいずれか一項に記載の冷却水制御弁装置。
【請求項１０】
前記フェールセーフバルブは、前記バルブの径方向外側に設けられている請求項１〜９のいずれか一項に記載の冷却水制御弁装置。
【手続補正２】
【補正対象書類名】明細書
【補正対象項目名】００１０
【補正方法】変更
【補正の内容】
【００１０】
本形態では、温度検知媒体は、バイパス通路に突出することなく、全体が迂回通路に収容されている。そのため、バイパス流路を冷却水が流れるとき、温度検知媒体がバイパス通路を流れる冷却水の抵抗となることを抑制できる。これにより、バイパス流路を流れる冷却水の通水抵抗の増大を抑制できる。したがって、熱源からの通水量の減少を抑制し、温度検知媒体の熱応答性を高めることができる。
また、本発明では、バルブは、筒状に形成されている。流入口は、バルブの軸上に形成されている。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
可動部材と、前記可動部材に隣接して配置された被固定部材と、前記可動部材および前記被固定部材を連結する軸部材と、を備える関節構造体の製造方法であって、
前記可動部材に形成された貫通孔に前記軸部材を挿通した後、前記可動部材の貫通孔から突出した前記軸部材の先端部分に、前記被固定部材に形成された貫通孔を挿通することにより、前記軸部材を前記被固定部材に固定する前の固定前状態とする工程と、
カシメ用のポンチを、前記軸部材の先端部分に形成されたザグリ穴の中で揺動させ、前記ポンチの側周面により前記ザグリ穴の内周面を、揺動に応じて左右に順次押圧し、前記ザグリ穴の内径を拡径して前記被固定部材の貫通孔の内周面に密着させ、前記軸部材を前記被固定部材に固定する工程と、
を含むことを特徴とする関節構造体の製造方法。
【請求項２】
前記軸部材を前記被固定部材に固定する工程は、前記ポンチの先端面が前記ザグリ穴の底面に当接しない位置を最下位として、前記ポンチを揺動させながら下降させることを特徴とする請求項１に記載の関節構造体の製造方法。
【請求項３】
前記軸部材を前記被固定部材に固定する工程は、前記ポンチが揺動しない状態とした場合において、前記ポンチの側周面が前記ザグリ穴の内周面と接触しない状態となるようにクリアランスを設けて前記ポンチを下降させることを特徴とする請求項１または請求項２に記載の関節構造体の製造方法。
【手続補正２】
【補正対象書類名】明細書
【補正対象項目名】発明の名称
【補正方法】変更
【補正の内容】
【発明の名称】関節構造体の製造方法